(57)【特許請求の範囲】
【請求項１】
一方の面に粘着材層を有するテープ基材を上記粘着材層が外側となるように巻芯に所定巻き数分巻回してなる粘着テープロールと、操作柄を有し軸受部材を介して上記粘着テープロールを回転可能に支持する支持具と、上記粘着テープロールが上記支持具に支持されている状態で収納される合成樹脂製の収納ケースとを備えている清掃具において、
上記軸受部材として、上記巻芯の両端に着脱自在に嵌合される左右一対の軸受キャップが用いられ、上記各軸受キャップは合成樹脂製で、その各々に回転支軸が同軸に配置されており、
上記支持具は、上記回転支軸と嵌合する軸受孔を有する左右一対の脚板と上記各脚板の上端間に架け渡された支持基板とを含む合成樹脂製の門型フレームを有し、上記脚板間に支持される上記粘着テープロールの軸線と直交し上記支持基板と平行な方向を幅方向として、上記右側の脚板、上記支持基板および上記左側の脚板の各幅がほぼ等しく、
上記収納ケースは、両端壁を有する円筒体をその軸線に沿って２分割してなる半割状で底部がヒンジ部にて開閉可能に連結された一対のケースメンバーを有し、上記ケースメンバーの上記両端壁から上面にかけての合わせ面間には、上記収納ケースを閉じた状態で上記幅とほぼ等幅である開口部が形成されており、上記収納ケースの外形形状の一部分が上記門型フレームによって補完されることを特徴とする清掃具。
【請求項２】
上記各ケースメンバーの上面側のほぼ中央部には、それぞれ係止片が互いに向き合う方向に形成されているとともに、上記支持基板の両側面には、上記係止片の相手方としての係止溝が形成されていることを特徴とする請求項１に記載の清掃具。
【請求項３】
上記係止片の左右両端には、上記係止片の後縁よりも後方に延びて上記ケースメンバーの内壁面と一体となる脚部が設けられており、上記係止片の後縁と上記ケースメンバーの内壁面との間には、射出成形時のヒケ防止用の隙間が形成されていることを特徴とする請求項２に記載の清掃具。
【請求項４】
上記軸受キャップは、上記巻芯の内径よりも大径で中心部に上記回転支軸を有するキャップカバーと、上記巻芯内に入り込むように上記キャップカバーの裏面側に一体に設けられたスカート部とを有し、上記キャップカバーには、指掛け孔が形成されていることを特徴とする請求項１ないし３のいずれか１項に記載の清掃具。
【請求項５】
上記キャップカバーは、周縁部が裾部で上記回転支軸が設けられている中心部を頂部とする山形状に形成されていることを特徴とする請求項１ないし４のいずれか１項に記載の清掃具。
【請求項６】
上記各脚片の上記軸受孔から端部にかけての部分が、上記軸受キャップから漸次離れる方向に傾斜する指掛け部として形成されていることを特徴とする請求項１ないし５のいずれか１項に記載の清掃具。
【発明の詳細な説明】
【技術分野】
【０００１】
本発明は、粘着テープロールを用いる清掃具に関し、さらに詳しく言えば、粘着テープロールの支持具および不使用時に粘着テープロールを保管する収納ケースに関するものである。
【背景技術】
【０００２】
粘着テープロールは、一方の面に粘着材層を有するテープ基材をその粘着材層が外側となるように所定巻き数分巻回してなる粘着式清掃ロールで、床面等の被清掃面上を転がして粘着材層にてゴミを捕捉する。約１周長ごとにミシン目が入れられており、ゴミの捕捉により粘着力が低下した最外周の粘着テープをはぎ取ることにより、下層の未使用の粘着テープが新たに現れる。【０００３】
この清掃具では、常に粘着材層が表面に露出しているため、粘着テープロールを転がすための専用の支持具（操作具）と、不使用時に粘着テープロールを保管する収納ケースとを必要とする。【０００４】
支持具には種々の形式のものがあるが、特許文献１に記載された発明では、粘着テープロールの巻芯に挿通される円筒状の支持ローラと、一端に上記支持ローラを回転可能に軸支する支軸部を有し他端にグリップ部（操作柄）を有する支持シャフトとを含む支持具が用いられている。【０００５】
また、粘着テープロールを保管する収納ケースには、半割状で底部がヒンジ部にて開閉可能に連結された一対のケースメンバーを含み、全体が合成樹脂の射出成形よりなる収納ケースが用いられている。【０００６】
上記支持具において、支持シャフトには、片持ちハンガー状に折り曲げ加工された金属シャフトが用いられているが、金属シャフトは樹脂製に比べて高価である。【０００７】
また、粘着テープロールの巻芯の内径は、支持シャフトの支軸部よりも大径であることから、支軸部に外径が巻芯の内径とほぼ同径の支持ローラを取り付け、支持ローラを介して粘着テープロールを回転可能に支持するようにしているが、支持ローラの使用がコストアップの要因になっている。【０００８】
また、粘着テープロールは、支持具に取り付けられた状態で収納ケース内に保管されるが、粘着テープの粘着面が収納ケースの内面に貼着しないように、収納ケース内で粘着テープロールを宙づり状に保持する必要がある。【０００９】
そのための工夫として、特許文献１に記載された発明では、半割状をなす一対のケースメンバーの合わせ面に、ケースを閉じたときに支持シャフトの一部分を挟持する係合部をグリップの重心に近い位置に設けるようにしているが、これには複雑な成形金型を必要としコスト的に好ましくない。【００１０】
粘着テープロールの収納ケース内面へのベタ付きを防止する別の方法として、特許文献２に記載されているように、収納ケースの内面に粘着テープロールの円周方向に沿ったリブを粘着テープロールの軸方向に沿って複数形成することも行われているが、収納ケースの内面に粘着テープロールの円周方向に沿って比較的大きな面積にわたってリブを立てると射出成形時にヒケが生じやすくなる、という問題がある。
【先行技術文献】
【特許文献】
【００１１】
【特許文献１】特開２００３−２６５４０１号公報
【特許文献２】特開２００４−７３５６２号公報
【発明の概要】
【発明が解決しようとする課題】
【００１２】
そこで、本発明の課題は、支持具の全体を合成樹脂製とし、しかも支持具と収納ケースとが調和のとれたデザインを有する清掃具を提供することにある。
【課題を解決するための手段】
【００１３】
上記課題を解決するため、本発明は、一方の面に粘着材層を有するテープ基材を上記粘着材層が外側となるように巻芯に所定巻き数分巻回してなる粘着テープロールと、操作柄を有し軸受部材を介して上記粘着テープロールを回転可能に支持する支持具と、上記粘着テープロールが上記支持具に支持されている状態で収納される合成樹脂製の収納ケースとを備えている清掃具において、
上記軸受部材として、上記巻芯の両端に着脱自在に嵌合される左右一対の軸受キャップが用いられ、上記各軸受キャップは合成樹脂製で、その各々に回転支軸が同軸に配置されており、上記支持具は、上記回転支軸と嵌合する軸受孔を有する左右一対の脚板と上記各脚板の上端間に架け渡された支持基板とを含む合成樹脂製の門型フレームを有し、上記脚板間に支持される上記粘着テープロールの軸線と直交し上記支持基板と平行な方向を幅方向として、上記右側の脚板、上記支持基板および上記左側の脚板の各幅がほぼ等しく、上記収納ケースは、両端壁を有する円筒体をその軸線に沿って２分割してなる半割状で底部がヒンジ部にて開閉可能に連結された一対のケースメンバーを有し、上記ケースメンバーの上記両端壁から上面にかけての合わせ面間には、上記収納ケースを閉じた状態で上記幅とほぼ等幅である開口部が形成されており、上記収納ケースの外形形状の一部分が上記門型フレームによって補完されることを特徴としている。
【００１４】
また、本発明は、上記各ケースメンバーの上面側のほぼ中央部には、それぞれ係止片が互いに向き合う方向に形成されているとともに、上記支持基板の両側面には、上記係止片の相手方としての係止溝が形成されていることを特徴としている。【００１５】
また、本発明は、上記係止片の左右両端には、上記係止片の後縁よりも後方に延びて上記ケースメンバーの内壁面と一体となる脚部が設けられており、上記係止片の後縁と上記ケースメンバーの内壁面との間には、射出成形時のヒケ防止用の隙間が形成されていることを特徴としている。【００１６】
また、本発明は、上記軸受キャップは、上記巻芯の内径よりも大径で中心部に上記回転支軸を有するキャップカバーと、上記巻芯内に入り込むように上記キャップカバーの裏面側に一体に設けられたスカート部とを有し、上記キャップカバーには、指掛け孔が形成されていることを特徴としている。【００１７】
上記キャップカバーは、周縁部が裾部で上記回転支軸が設けられている中心部を頂部とする山形状に形成されていることが好ましい。【００１８】
また、本発明は、上記各脚片の上記軸受孔から端部にかけての部分が、上記軸受キャップから漸次離れる方向に傾斜する指掛け部として形成されていることを特徴としている。
【発明の効果】
【００１９】
本発明によれば、粘着テープロールの両端に軸受部材として合成樹脂製の軸受キャップを取り付け、粘着テープロールの支持具を、軸受キャップの回転支軸と嵌合する軸受孔を有する左右一対の脚板とそれらの上端間に架け渡された支持基板とを含み各脚板および支持基板がほぼ同一幅である合成樹脂製の門型フレームとし、金属シャフトおよび支持ローラを不要としたことにより、その分、コストを低減することができる。また、収納ケースを構成するケースメンバーの両側面から上面にかけての合わせ面間には、収納ケースを閉じた状態で支持具の門型フレームとほぼ等幅である開口部を形成し、収納ケースの外形形状の一部分が門型フレームによって補完されるようにしたことにより、支持具と収納ケースとが調和のとれたデザイン（意匠）を有する清掃具が得られる。
【図面の簡単な説明】
【００２０】
【図１】本発明の一実施形態に係る清掃具を示す斜視図。
【図２】上記清掃具に含まれる支持具と収納ケースとを分離して示す斜視図。
【図３】粘着テープロールを支持した状態の支持具を示す（ａ）正面図、（ｂ）斜視図。
【図４】軸受キャップが取り付けられた状態の支持具を底面方向から見た（ａ）正面側斜視図、（ｂ）背面側斜視図。
【図５】粘着テープロールの端部に軸受キャップを装着する状態を示す斜視図。
【図６】収納ケースの開いた状態を示す斜視図。
【図７】収納ケースに設けられている係止片の（ａ）拡大斜視図、（ｂ）そのＡ−Ａ線断面図。
【発明を実施するための形態】
【００２１】
次に、図１ないし図７を参照して、本発明の実施形態について説明するが、本発明はこれに限定されるものではない。
【００２２】
まず、図１および図２を参照して、この実施形態に係る清掃具１は、粘着テープロール２を回転可能に支持する支持具１０と、不使用時に粘着テープロール２を支持具１０に支持された状態で保管するための収納ケース２０とを備えている。
【００２３】
詳しくは図示しないが、粘着テープロール２は、一方の面に粘着材層を有するテープ基材を、その粘着材層が外側となるように巻芯２ａ（図５参照）に所定巻き数分巻回してなり、約１周長ごとに切れ目線が入れられている。
【００２４】
図３を併せて参照して、支持具１０は、左右一対の脚板１１，１１と、脚板１１，１１の上端間に架け渡された支持基板１２とを含む門型フレーム１３を備えている。右側の脚板１１と左側の脚板１１は、粘着テープロール２の軸長にほぼ等しい距離をもって対向するように配置されている。
【００２５】
門型フレーム１３は、右側の脚板１１、支持基板１２および左側の脚板１１にかけてほぼ等しい幅を有しており、この実施形態において、支持基板１２のほぼ中央部分にグリップ部（操作柄）１４が立設されている。門型フレーム１３は、グリップ部１４を含めて全体が合成樹脂材よりなる。なお、グリップ部１４は、一方の脚板１１の肩から横方向に引き出されてもよい。
【００２６】
粘着テープロール２を支持具１０に回転可能に支持するにあたって、この実施形態によると、粘着テープロール２の両端に、軸受部材として軸受キャップ３０，３０が取り付けられる。軸受キャップ３０，３０は同一の構成であり、好ましくはともに合成樹脂材よりなる。
【００２７】
図４，図５を参照して、軸受キャップ３０は、キャップカバー３１とスカート部３２とを備えている。キャップカバー３１は、巻芯２ａの内径よりも大径で、その中心部には回転支軸３１０が設けられている。スカート部３２は円筒状で、巻芯２ａ内に入り込むようにキャップカバー３１の裏面側に同軸として一体に設けられている。
【００２８】
スカート部３２の外周側には、巻芯２ａの内面に適度な摩擦力をもって嵌合する複数のリブ３２１が形成されていることが好ましい。キャップカバー３１には、粘着テープロール２への取り付け、取り外し時に、指で摘まむことを容易とするための指掛け孔３１１が形成されている。
【００２９】
脚板１１，１１には、それぞれ軸受キャップ３０の回転支軸３１０に嵌合する軸受孔１１０が設けられている。なお図４には、各脚板１１に軸受キャップ３０が取り付けられた状態が示されているが、実際には、粘着テープロール２の両端に軸受キャップ３０，３０を取り付けた後、それらの回転支軸３１０，３１０に脚板１１，１１の軸受孔１１０，１１０を嵌合することになる。
【００３０】
粘着テープロール２を取り外すには、脚板１１，１１の端部１１ａ，１１ａに指を掛けて、軸受孔１１０，１１０が回転支軸３１０，３１０から離脱するように脚板１１，１１の間隔を広げることになるが、その指掛けを容易とするため、各脚片１１の軸受孔１１０から端部１１ａにかけての部分が、軸受キャップ３０から漸次離れる方向に傾斜する指掛け部１１１として形成されている。
【００３１】
また、軸受キャップ３０のキャップカバー３１は、回転支軸３１０付近での脚板１１との接触面積を少なくして粘着テープロール２の回転をより円滑にするため、図３（ａ）に示すように、周縁部を裾部とし回転支軸３１０が設けられている中心部を頂部とする山形状であることが好ましい。この山形には、凸球面（椀形）のほかに、三角錐や四角錐等の錐面が含まれてよい。
【００３２】
図２と図６を併せて参照して、収納ケース２０は、両端壁を有する円筒体をその軸線に沿って２分割してなる半割状で、底部がヒンジ部２０３にて開閉可能に連結された左右一対のケースメンバー２１ａ，２１ｂを備え、その全体が合成樹脂よりなる。この実施形態において、ヒンジ部２０３は薄肉ヒンジであるが、蝶番構造であってもよい。
【００３３】
ケースメンバー２１ａ，２１ｂの各底部には、図１に示すように、閉じた状態で収納ケース２０を自立させるための安定脚２０２となる脚部２０２ａ，２０２ｂが形成されている。なお、ケースメンバー２１ａ，２１ｂを区別する必要がない場合には、総称としてケースメンバー２１とする。
【００３４】
ケースメンバー２１ａ，２１ｂの両側面から上面にかけての合わせ面２１０ａ，２１０ｂの間には、収納ケース２０を閉じた状態で門型フレーム１３とほぼ等幅である開口部２０１が形成されている。
【００３５】
これによれば、粘着テープロール２を支持具１０に支持された状態で収納ケース２０内に収納する際、図１に示すように、収納ケース２０の外形形状の一部分が門型フレーム１３によって補完される。
【００３６】
ケースメンバー２１ａ，２１ｂの上面側のほぼ中央部には、その上端縁から立ち上がるように、それぞれ係止爪２１１（２１１ａ，２１１ｂ）が立設されている。この係止爪２１１は、収納ケース２０を開く際の指掛け部として機能する。
【００３７】
また、ケースメンバー２１ａ，２１ｂの上面側のほぼ中央部には、係止片２２０ａ，２２０ｂが開口部２０１内において互いに向き合うように形成されている。係止片２２０ａ，２２０ｂを区別する必要がない場合には、総称として係止片２２０とする。
【００３８】
図７（ａ），（ｂ）を併せて参照して、係止片２２０の両側辺には、支持ステー２２２，２２２が左右一対として一体に形成されており、係止片２２０は、これら支持ステー２２２，２２２により、その後端とケースメンバー２１の内壁との間に所定の隙間Ｇが生ずるように、すなわちケースメンバー２１の内壁から浮いた状態に支持されている。
【００３９】
係止片２２０は支持ステー２２２の部分を含めて、ケースメンバー２１とともに図示しない金型内で射出成形されるが、係止片２２０がケースメンバー２１の内壁から浮いているため、成形時のヒケを極力少なくすることができる。
【００４０】
再び図４（ａ），（ｂ）を併せて参照して、支持具１０の支持基板１２の正面側には、一方の係止片２２０ａが入り込む係止溝１２１が形成され、また、支持基板１２の背面側には、他方の係止片２２０ｂが入り込む係止溝１２２が形成されている。
【００４１】
図７に示すように、係止片２２０の先端には鉤部２２１が形成されている。これに対応して、係止溝１２１，１２２の奥まった箇所には、鉤部２２１が好ましくはクリック音を発生しながら係合する係合孔１２３，１２４が穿設されている。
【００４２】
粘着テープロール２は、支持具１０に回転可能に支持された状態で床面等の清掃に供され、清掃後は、図６のように開かれている収納ケース２０内に支持具１０に支持されている状態のまま置かれ、ケースメンバー２１ａ，２１ｂを閉じることにより、収納ケース２０内に保管される。
【００４３】
ケースメンバー２１ａ，２１ｂを閉じる際、係止片２２０ａ，２２０ｂが支持基板１２の係止溝１２１，１２２内に入り込み、それらの鉤部２２１が係合孔１２３，１２４に係合することにより、支持具１２の門型フレーム１３が見かけ上収納ケース２０の一部分となって収納ケース２０が閉じられる。
【００４４】
この清掃具１によれば、粘着テープロール２を支持具１０に回転可能に支持するにあたって、粘着テープロール２の両端に軸受部材として合成樹脂製の軸受キャップ３０を取り付けるだけでよく、粘着テープロール２の巻芯内に挿通する支持ローラが不要である分コスト低減をはかることができる。
【００４５】
また、支持具１０を、軸受キャップ３０の回転支軸３１０と嵌合する軸受孔１１０を有する左右一対の脚板１１とそれらの上端間に架け渡された支持基板１２とを含み各脚板１１および支持基板１２がほぼ同一幅である合成樹脂製の門型フレーム１３とし、金属シャフトを排除したことによっても、コストを低減することができる。
【００４６】
また、収納ケース２０を構成するケースメンバー２１の両側面から上面にかけての合わせ２１０ａ，２１０ｂの面間には、収納ケース２０を閉じた状態で支持具１０の門型フレーム１３とほぼ等幅である開口部２０１を形成し、収納ケース２０の外形形状の一部分が門型フレーム１３によって補完されるようにしたことにより、支持具１０と収納ケース２０とが調和のとれたデザイン（意匠）を有する清掃具が得られる。
【符号の説明】
【００４７】
１  清掃具
２  粘着テープロール
１０  支持具
１１  脚板
１１０  軸受孔
１１１  指掛け部
１２  支持基板
１２１，１２２  係止溝
１３  門型フレーム
２０  収納ケース
２０１  開口部
２１（２１ａ，２１ｂ）  ケースメンバー
２１０ａ，２１０ｂ  合わせ面
２２０（２２０ａ，２２０ｂ）  係止片
２２２  支持ステー
３０  軸受キャップ
３１  キャップカバー
３１０  回転支軸
３１１  指掛け孔
３２  スカート部
【図１】
0006791961.tif 000002
【図２】
0006791961.tif 000003
【図３】
0006791961.tif 000004
【図４】
0006791961.tif 000005
【図５】
0006791961.tif 000006
【図６】
0006791961.tif 000007
【図７】
0006791961.tif 000008